(57)【要約】【課題】Ｘ線撮影時における患者負担の軽減に寄与するＸ線装置を提供する。【解決手段】Ｘ線を発生させるＸ線源４０と、Ｘ線を検出するＸ線検出器４を収納するための収納部１３と、電源が投入されると発熱する発熱体、例えば電源装置１５と、を含む。そして、暖気運転中に、電源装置１５から生じる熱により収納部１３に収納されたＸ線検出器４の温度を上昇させる。【選択図】図１
2014147465.tif 000002
【特許請求の範囲】
【請求項１】
Ｘ線を発生させるＸ線源と、
前記Ｘ線を検出するＸ線検出器を収納するための収納部と、
電源が投入されると発熱する発熱体と、を含み、
前記発熱体から生じる熱により、前記収納部に収納された前記Ｘ線検出器の温度を上昇させる、
ことを特徴とするＸ線装置。
【請求項２】
前記Ｘ線装置は、電源装置、制御装置、及び前記Ｘ線検出器が検出した信号に基づいてＸ線画像を生成する画像処理装置、の少なくとも一つを含み、
前記発熱体は、前記電源装置、制御装置、又は画像処理装置であり、前記発熱体から生じた排熱を用いて、前記収納部に収納された前記Ｘ線検出器の温度を上昇させる、
ことを特徴とする請求項１に記載のＸ線装置。
【請求項３】
前記発熱体に送風するためのファンと、
前記発熱体を冷却した排気の排出方向を調整する風向き調整部と、
前記排気を前記収納部に排出するための収納部向け排出口と、を更に備える、
ことを特徴とする請求項２に記載のＸ線装置。
【請求項４】
前記排気の温度を検出する第一温度検出部と、
前記排気を前記Ｘ線装置の外部に排出するための外部向け排出口と、を更に備え、
前記風向き調整部は、前記第一温度検出部により検出され温度が予め定められた第一閾値以上である場合に、前記排気の排出方向を前記外部向け排出口に向かう方向に調整し、前記第一閾値未満である場合に、前記排気の排出方向を前記収納部向け排出口に向かう方向に調整する、
ことを特徴とする請求項３に記載のＸ線装置。
【請求項５】
前記収納部に格納された前記Ｘ線検出器の温度を測定する第二温度検出部と、
前記排気を前記Ｘ線装置の外部に排出するための外部向け排出口と、を更に備え、
前記風向き調整部は、前記第二温度検出部により検出され温度が予め定められた第二閾値以上である場合に、前記排気の排出方向を前記外部向け排出口に向かう方向に調整し、前記第一閾値未満である場合に、前記排気の排出方向を前記収納部向け排出口に向かう方向に調整する、
ことを特徴とする請求項３に記載のＸ線装置。
【請求項６】
前記排気の温度を検出する第一温度検出部と、前記排気を前記Ｘ線装置の外部に排出するための外部向け排出口と、前記収納部に格納された前記Ｘ線検出器の温度を測定する第二温度検出部と、を更に備え、
前記風向き調整部は、前記第一温度検出部により検出され温度が予め定められた第一閾値以上であって且つ前記第二温度検出部により検出され温度が予め定められた第二閾値未満である場合に、前記第二温度検出部により検出される温度が前記第二閾値に達するまで前記収納部向け排出口に向ける排気量を調整する、
ことを特徴とする請求項３に記載のＸ線装置。
【請求項７】
前記発熱体は、前記収納部に収納された前記Ｘ線検出器の温度を上昇させるための加熱装置である、
ことを特徴とする請求項１に記載のＸ線装置。
【請求項８】
前記Ｘ線装置は、前記Ｘ線源を搭載する本体部、及び当該本体部を搭載して床面上を移動する移動部材を備える、
ことを特徴とする請求項１乃至７の何れか一項に記載のＸ線装置。
【発明の詳細な説明】
【技術分野】
【０００１】
本発明は、Ｘ線装置に関し、特にＸ線撮影時における患者負担を軽減する技術に関する。
【背景技術】
【０００２】
近年、移動型Ｘ線装置は、小型のものから多機能を搭載した大型のものまで種類が豊富になっている。一般に、大型化するにつれて重量が大きくなり、移動が大変になる傾向がある。この移動を軽減するための技術として、例えば、特許文献１には、移動操作するハンドルに加えられる力、及び駆動車輪のトルクの関係が設定された走行モードを複数備えた移動型Ｘ線装置が開示されている。
【先行技術文献】
【特許文献】
【０００３】
【特許文献１】特開２０１１−１６７２９６号公報
【発明の概要】
【発明が解決しようとする課題】
【０００４】
移動型Ｘ線装置は、使用しないときには、施設ごとに定められた所定の収納場所に置かれていることが多い。収納中は、移動型Ｘ線装置及びそれに搭載されたＸ線検出器は、収納場所の環境温度に近づく。収納場所が、人の出入りが少ない部屋や廊下の端などの温度調整がされていない空間である場合、Ｘ線検出器の温度と被検体との差が大きくなることがある。この状態で、移動型Ｘ線装置を被検体がいる病室に移動し、Ｘ線検出器を患者に接触させてＸ線撮影を行うと、患者が不快な思いをすることがあるという問題があった。
【０００５】
そこで本発明は、Ｘ線撮影時における患者負担の軽減に寄与するＸ線装置を提供することを目的とする。
【課題を解決するための手段】
【０００６】
前記課題を解決するために、本発明に係るＸ線装置は、Ｘ線を発生させるＸ線源と、前記Ｘ線を検出するＸ線検出器を収納するための収納部と、電源が投入されると発熱する発熱体と、を含み、前記発熱体から生じる熱により、前記収納部に収納された前記Ｘ線検出器の温度を上昇させる、ことを特徴とする。
【発明の効果】
【０００７】
本発明によれば、Ｘ線撮影時における患者負担の軽減に寄与するＸ線装置を提供することができる。
【図面の簡単な説明】
【０００８】
【図１】第一実施形態に係る移動型Ｘ線装置の全体構成を示す説明図
【図２】第一実施形態に係る移動型Ｘ線装置の背面図
【図３】（ａ）、（ｂ）は、それぞれ、収納部の構造を示す図
【図４】図１において、収納部向け排気口を含む断面位置ｃにおける拡大断面図であって、（ａ）は収納部向け排気口１９ｂに向けて排気を排出する状態を示し、（ｂ）は外部向け排気口１９ａに向けて排気を排出する状態を示す。
【図５】第一実施形態に係る移動型Ｘ線装置の内部構成を示す機能ブロック図
【図６】第一実施形態に係る移動型Ｘ線装置の動作の流れを示すフローチャート
【図７】第二実施形態に係る移動型Ｘ線装置の全体構成を示す説明図
【発明を実施するための形態】
【０００９】
以下、図面を用いて本発明の実施形態について説明する。全図を通して、同一の構成には同一の符号を付し、重複説明を省略する。
【００１０】
＜第一実施形態＞
第一実施形態は、移動型Ｘ線装置１の発熱部品を空冷した時に生じる排気を用いて、Ｘ線検出器を温める実施形態である。以下では、移動型Ｘ線装置１の発熱部品として、電源装置を例に挙げて説明するが、発熱部品は、電源装置の他、制御装置、Ｘ線画像を生成する画像処理装置、及び移動型Ｘ線装置の走行に用いる走行モータなどでもよい。望ましくは、移動型Ｘ線装置の暖気運転中に作動して発熱する部品がより好適である。以下、図１乃至図６に基づいて、第一実施形態について説明する。図１は、第一実施形態に係る移動型Ｘ線装置の全体構成を示す説明図である。図２は、第一実施形態に係る移動型Ｘ線装置の背面図である。図３（ａ）、（ｂ）は、それぞれ収納部の構造を示す図である。図４は、図１における収納部向け排気口を含む断面位置ｃにおける拡大断面図であって、（ａ）は収納部向け排気口１９ｂに向けて排気を排出する状態を示し、（ｂ）は外部向け排気口１９ａに向けて排気を排出する状態を示す。図５は、第一実施形態に係る移動型Ｘ線装置の内部構成を示す機能ブロック図である。図６は、第一実施形態に係る移動型Ｘ線装置の動作の流れを示すフローチャートである。
【００１１】
図１に示すように、第一実施形態に係る移動型Ｘ線装置１は、本体部１０と、本体部１０を搭載して移動させる移動部（本実施形態では移動台車を用いて構成する。以下「台車」と称する）２０と、台車２０上に設置された支柱３０と、Ｘ線を発生させるＸ線管を有するＸ線源４０と、Ｘ線の照射野を制限するＸ線可動絞り５０と、Ｘ線源４０を支持するアーム６０と、アーム６０を支柱３０の軸方向に沿って昇降自在に支持するアーム支持部７０と、を備える。Ｘ線の撮影時には、寝台３にＸ線検出器４を載置し、Ｘ線検出器４上に被検体２を載置する。このとき、Ｘ線検出器４は、被検体２を挟んでＸ線源４０と対向させて配置される。このとき、Ｘ線検出器４が被検体２に接触する。Ｘ線検出器４は、Ｘ線を検出する複数の検出素子が二次元アレイ状に配置されたＦＰＤ(Flat  Panel  Detector)を用いて構成されたものの他、フィルムや透過Ｘ線を潜像として蓄積するイメージングプレートなど、その種類を問わない。Ｘ線検出器４は移動型Ｘ線装置１と別体に構成されてもよいし、本体部１０に図示しないケーブルを介して電気的に接続されてもよい。
【００１２】
台車２０は、床面上を走行する車輪２１と、その車輪２１をモータ駆動するための車輪駆動装置２２と、自走式のキャスター２３と、を備える。車輪駆動装置２２は、本体部１０に備えてもよい。
【００１３】
支柱３０は、支柱３０の軸方向を回転軸方向と一致させて、台車２０上に回転可能に支持される。また、支柱３０におけるアーム支持部７０に対向する側面には、レール３１が備えられ、アーム支持部７０は、このレール３１の軸方向に沿って昇降動する。アーム支持部７０に、昇降動作に対して制動をかけるブレーキ装置及びそのブレーキを解除する解除装置を備えてもよい。
【００１４】
Ｘ線源４０は、図示を省略するが、陽極及び陰極を有するＸ線管を内蔵し、陰極から発生する熱電子が陽極に衝突することでＸ線を発生する。
【００１５】
Ｘ線可動絞り５０は、Ｘ線源４０の直下に備えられている。Ｘ線可動絞り５０は、図示を省略するが、２対の可動制限羽根を有し、各対の稼働制限羽根が、同一面内において直交する２方向に開閉することでＸ線の照射野を調整する。
【００１６】
アーム６０は、垂直方向に伸縮可能な機構を備える。このような機構として、図示する実施形態では、略筒状の第一アーム６１と、第一アーム６１の内径よりも外径が細い略筒状の第二アーム６２と、第二アーム６２の内径よりも外径が細い棒状の第三アーム６３と、を含み、第二アーム６２の内部に第三アーム６３を収容し、第二アーム６２及び第三アーム６３を第一アーム６１内に収容可能に構成する。そして、第三アーム６３を第二アーム６２から引き出し、第二アーム６２を第一アーム６１から引き出すことにより、アーム６０が伸縮する。第三アーム６３の先端部（開放端部）にＸ線源４０が配置される。
【００１７】
本体部１０は略直方体状に構成され、その天面１０aには、撮影条件を設定するための操作パネル１１、及び本体部１０の内部及び外部を連通する外部向け排気口１９ａが備えられる。
【００１８】
本体部１０の内部には、移動型Ｘ線装置１の各種動作の制御を行う制御部１４と、バッテリー駆動する電源装置１５と、電源装置１５を空冷するためのファン１６と、電源装置１５を通過し、電源装置１５から生じた熱により温められた排気の風向きを調整する風向き調整部１７と、風向き調整部１７付近に配置され、排気の温度を測定する第一温度検出部９１と、が備えられる。制御部１４は、Ｘ線源４０のＸ線照射処理、及び後述するＸ線検出器４を温める処理に関する制御を行う。また、制御部１４にＸ線画像を生成する画像処理装置としての機能を備えてもよい。そして、Ｘ線検出器４を、ＦＰＤを用いて構成し、Ｘ線検出器４と制御部１４とを電気的に接続し、Ｘ線検出器４が検出したＸ線信号を基にＸ線画像を生成するように構成してもよい。
【００１９】
本体部１０における支柱３０と対向する面（以下「前面」と称する）１０ｂには、本体部１０の内部及び外部に連通する吸気口１８が備えられる。ファン１６は、吸気口１８と電源装置１５との間に設けられる。
【００２０】
また、本体部１０において、支柱３０とは反対側の面（以下「背面」と称する）１０ｃには、図２に示すように、操作者が走行時に把持するための走行ハンドル１２と、Ｘ線検出器４を収納する収納部１３が備えられる。
【００２１】
Ｘ線検出器４は、Ｘ線撮影をしない時、例えば、移動型Ｘ線装置１の保管中及び移動中は、収納部１３内に収納される。収納部１３の内部には、収納部１３に収納されたＸ線検出器４の表面温度を測定する第二温度検出部９２を備える。上記第一温度検出部９１及び第二温度検出部９２は、温度センサを用いて構成される。
【００２２】
更に、収納部１３の内側の側面には、本体部１０の内部及び収納部１３の内部を連通する収納部向け排気口１９ｂが備えられる。図示を省略するものの、吸気口１８、外部向け排気口１９ａ、及び収納部向け排気口１９ｂのそれぞれには、本体部１０の内部に埃やごみが進入することを防ぐためのフィルタを備える。なお、収納部向け排気口１９ｂに備えられたフィルタは図４において図示する。
【００２３】
風向き調整部１７は、電源装置１５の冷却に用いた排気が、外部向け排気口１９ａ又は収納部向け排気口１９ｂから排出されるように、排気の向きを調整する部材である。風向き調整部１７が排気の向きを外部向け排気口１９ａに向けると、排気は、本体部１０の内部から外部向け排気口１９ａを経て本体部１０の外部に排出される（図１の矢印Ａ参照）。風向き調整部１７が排気の向きを収納部向け排気口１９ｂに向けると、排気は、本体部１０の内部から収納部向け排気口１９ｂを経て収納部１３の内部に送られる。そして、収納部１３内に収納されたＸ線検出器４の外表面を通り、収納部１３から本体部１０の外部へと排出される（図１の矢印Ｂ参照）。排気がＸ線検出器４の外表面を通過することで、Ｘ線検出器４の表面温度が排気の温度よりも低い場合、排気によりＸ線検出器４の外表面が温められる。
【００２４】
次に図３及び図４に基づいて、収納部１３及び風向き調整部１７の構成について説明する。
図３（ａ）及び（ｂ）に示すように、収納部１３は、本体部１０の内部空間に対し、Ｘ線検出器４を収納する収納空間１３ａを仕切る仕切部１３１と、本体部１０に対し開閉可能な可動部１３２とからなる。可動部１３２の形状は、その機能を持つものであれば特に限定されないが、図示する実施形態では、断面がＬ字状の部材で、収納空間１３ａの蓋となる部分１３２ａとＸ線検出器４を支持する底面１３２ｂとからなる。仕切り部１３１は、一面が開口したボックス状の部材で、前述した第二温度検出部９２は、仕切り部１３１の上面に固定されている。
【００２５】
収納部１３の空間１３ａを本体部１０に対し開閉可能にする機構としては、例えば、図３（ａ）に示すように可動部１３２を本体部１０に固定された軸部１３３を中心に回転可能にしてもよいし、図３（ｂ）に示すように可動部１３２を本体部１０に対しスライド可能な構成にしてもよい。
【００２６】
また仕切り部１３１の、可動部１３２の蓋部分１３２ａに対向する面（背面という）には、本体部１０の内部空間に通じる開口が設けられ、この開口が収納部向け排気口１９ｂとして機能する。収納部向け排気口１９ｂには防塵フィルタ１９ｆ（図４）が配置される。
【００２７】
風向き調整部１７は、図４（ａ）及び（ｂ）に示すように、収納部１３の仕切り部１３１の背面に連結されており、間隔を空けて配置された複数枚（図４では３枚）の風向き調整板１７ａ−１、１７ａ−２、１７ａ−３と、風向き調整板１７ａ−１、１７ａ−２、１７ａ−３を連動させて回転させる回転機構１７ｂと、回転機構１７ｂに回転駆動力を付与する回転駆動装置１７ｃと、本体部１０に風向き調整部１７を固定するための固定支持体１７ｆと、を備える。回転機構１７ｂは、歯付きベルト１７ｂと、各風向き調整板１７ａ−１、１７ａ−２、１７ａ−３の一端に固定された歯車１７ｂ−１、１７ｂ−２、１７ｂ−３とから構成される。回転駆動装置１７ｃにより歯付きベルト１７ｂが回転することによって、各風向き調整板１７ａ−１、１７ａ−２、１７ａ−３は、図４（ａ）に示す水平方向と平行な位置から、図４（ｂ）に示す水平方向に対し角度を持つ位置に移動する（逆回転により、その逆方向の移動となる）。また必要に応じて風向き調整板の角度を変化させることも可能である。
【００２８】
Ｘ線検出器４を温める場合は、図４の（ａ）に示すように、排気を収納部向け排気口１９ｂに向けて排出するよう、風向き調整板１７ａ−１、１７ａ−２、１７ａ−３の角度を調整する。また、Ｘ線検出器４を温めない時、例えば、Ｘ線検出器４の温度が体温相当になった時や、排気温度が高温で、Ｘ線検出器４に排気をあてることが好ましくない時には、図４の（ｂ）に示すように、排気を外部向け排気口１９ａに向けて送風するよう、風向き調整板１７ａ−１、１７ａ−２、１７ａ−３の角度を調整する。なお、図４で示した収納部１３及び風向き調整部１７の構成は一例に過ぎず、これに限定されない。
【００２９】
次に、図５に基づいて、移動型Ｘ線装置１の内部構成、主として制御部１４によって制御される要素、について説明する。図５に示すように、制御部１４は、操作パネル１１、回転駆動装置１７ｃ、Ｘ線源４０、第一温度検出部９１、及び第二温度検出部９２に電気的に接続される。そして、制御部１４は、第一温度検出部９１及び第二温度検出部９２から検出結果を取得し、その結果に応じて、回転駆動装置１７ｃの回転量を決定する。この回転駆動装置１７ｃの回転に応じて、風向き調整板１７ａ−１、１７ａ−２、１７ａ−３の向きが変わる。また、制御部１４は、操作パネル１１から入力された撮影条件に従って、Ｘ線源４０に対し、Ｘ線を照射するための制御を行う。
【００３０】
次に図６に基づいて、第一実施形態の処理の流れについて説明する。以下、図６の各ステップ順に説明する。以下では、操作者が、移動型Ｘ線装置１の保管場所に移動型Ｘ線装置１を取りに行き、保管場所から被検体が在室する病室へ移動させる間の暖気運転中に、Ｘ線検出器４を温める場合を例に挙げて説明する。以下、図６の各ステップ順に沿って説明する。
【００３１】
（ステップＳ１）
操作パネル１１にある主電源スイッチをＯＮにし、移動型Ｘ線装置１の主電源を投入されると、電源装置１５が起動し、ファン１６の送風が開始する。同時に第一温度検出部９１及び第二温度検出部９２の温度検出動作も開始する。検出結果は随時、制御部１４に出力される（Ｓ１）。
【００３２】
（ステップＳ２）
操作者が、走行ハンドル１２を把持して、移動型Ｘ線装置１を保管場所から検査対象となる被検体が在室している病室まで移動させる。この間、電源装置１５が起動しており、吸気口１８からとりこまれた外気が、ファン１６により電源装置１５に送風される。これにより、電源装置１５が空冷される（Ｓ２）。
【００３３】
（ステップＳ３）
制御部１４は、第一温度検出部９１が検出した本体部１０の内部空間の温度Ｔ１が予め定められた第一閾値Ｔｈ１未満か否かを判断する（Ｓ３）。「肯定」（Ｔ１＜Ｔｈ１）であれば、ステップＳ４−１へ進む。「否定」（Ｔ１≧Ｔｈ１）であれば、ステップＳ４−２に進む。
【００３４】
（ステップＳ４−１、ステップＳ４−２）
第二温度検出部９２が検出した収納部１３の温度Ｔ２が予め定められた第二閾値Ｔｈ２未満か否かを判断する。ステップＳ４−１において、「肯定」（Ｔ２＜Ｔｈ２）であれば、ステップＳ５に進み、「否定」（Ｔ２≧Ｔｈ２）であれば、ステップＳ６に進む。ステップＳ４−２において、「肯定」（Ｔ２＜Ｔｈ２）であれば、ステップ７に進み、「否定」（Ｔ２≧Ｔｈ２）であれば、ステップＳ６に進む。
【００３５】
通常、熱源がある本体部１０内部の温度Ｔ１は、外側に面した収納部内の温度Ｔ２より低く、第一閾値Ｔｈ１＞第二閾値Ｔｈ２に設定される。例えば第一閾値Ｔｈ１は、Ｘ線検出器４の耐熱温度を目安に設定される。第二閾値Ｔｈ２は、正常な人体の体温相当であることが望ましく、例えば３６度前後に設定される。
【００３６】
（ステップＳ５）
ステップＳ５は、本体部１０の温度Ｔ１が第一閾値Ｔｈ１より低く且つ収納部１３の温度Ｔ２が第二閾値Ｔｈ２より低い場合の処理である。この場合には、前述の図４の（ａ）に示すように、排気が収納部向け排気口１９ｂに向かうように風向き調整板１７ａ−１、１７ａ−２、１７ａ−３の角度を調整する（Ｓ４）。制御部１４は、回転駆動装置１７ｃに対し、上記風向きを達成するための回転量の指示信号を出力し、回転駆動装置１７ｃが回転する。回転機構１７ｂを介して風向き調整板１７ａ−１、１７ａ−２、１７ａ−３の角度を調整し、排気は、収納部向け排気口１９ｂから収納部１３内に排出され、その後、本体部１０の外部へと排出される。その結果、第二閾値Ｔｈ２未満の温度で、収納部１３に収納されたＸ線検出器４が温められる。本ステップ終了後、ステップＳ２へ戻る。
【００３７】
（ステップＳ６）
ステップＳ６は、収納部１３の温度Ｔ２が第二閾値Ｔｈ２以上の場合（本体部１０の温度Ｔ１が第一閾値Ｔｈ１未満の場合と第一閾値Ｔｈ１以上を含む）の処理である。この場合には、前述の図４の（ｂ）に示すように、排気が外部向け排気口１９ａに向かうように風向き調整板１７ａ−１、１７ａ−２、１７ａ−３の角度を調整する（Ｓ７）。制御部１４は、回転駆動装置１７ｃに対し、上記風向きを達成するための回転量の指示信号を出力し、回転駆動装置１７ｃが回転する。回転機構１７ｂを介して風向き調整板１７ａ−１、１７ａ−２、１７ａ−３の角度を調整し、排気は、外部向け排気口１９ａから本体部１０の外部へと排出される。これにより、収納部１３に第二閾値Ｔｈ２（例えば体温）よりも高い空気が送り込まれ、Ｘ線検出器４の温度が過度に高くなることを防止できる。本ステップ終了後、ステップＳ２へ戻る。
【００３８】
（ステップＳ７）
本体部１０の温度Ｔ１は第一閾値Ｔｈ１以上であるが、収納部１３の温度Ｔ２が第二閾値Ｔｈ２未満の場合である。この場合には、風向き調整板１７ａ−１、１７ａ−２、１７ａ−３の角度を、図４の（ａ）に示す位置と（ｂ）に示す位置との間の位置に調整し、第二温度検出部９２の温度が目標温度（例えば第二閾値Ｔｈ２）になるようにする。本ステップ終了後、ステップＳ２へ戻る。
【００３９】
移動型Ｘ線装置１を被検体の病室まで移動し終えると、被検体２と寝台３との間にＸ線検出器４を配置し、Ｘ線源４０をＸ線検出器４に対向配置する。このとき、Ｘ線検出器４が、暖気運転中に温められることで、Ｘ線検出器４の表面温度と被検体２の体温との温度差が小さくなり、温度差による不快感の低減が期待できる。
【００４０】
特に、第一実施形態では、移動型Ｘ線装置１の暖気運転中に生じる排熱を用いてＸ線検出器４を温めることにより、排熱の有効利用を図ることができる。
【００４１】
＜第二実施形態＞
第二実施形態は、Ｘ線検出器を温めるための加熱装置（ヒータ）を備える実施形態である。以下、図７に基づいて、第二実施形態に係るＸ線撮影装置の概略構成について説明する。図７は、第二実施形態に係る移動型Ｘ線装置の全体構成を示す説明図である。第一実施形態と共通する要素は同じ符号で示し、その説明は省略する。
【００４２】
図７に示すように、第二実施形態に係る移動型Ｘ線装置１は、第一実施形態に係る移動型Ｘ線装置１（図１参照）の収納部１３にＸ線検出器４を温めるためのヒータ１００を備える。代わりに、風向き調整部１７、収納部向け排気口１９ｂ、及び第一温度検出部９１は備えない。電源装置１５を空冷した排気は、温かいため、本体部１０の上部に溜まる。そこで、外部向け排気口１９ａを備え、ここから外部へと排出する（矢印Ａ参照）。
【００４３】
そして、主電源が投入されるとヒータ１００が通電し、Ｘ線検出器４が温められる。これにより、暖気運転中に温められることで、Ｘ線検出器４の表面温度と被検体２の体温との温度差が小さくなり、温度差による不快感の低減が期待できる。Ｘ線検出器４の表面温度を検出する第二温度検出部９２を備えてもよいが、ヒータ１００に第二閾値以下で温めることが可能な温度設定機能が有る場合には、第二温度検出部９２を備えなくてもよい。
本実施形態によれば、ヒータ１００を収納部１３に備えるだけでよいので、Ｘ線検出器４を温めるための機構が、第一実施形態に比べて簡略化できる効果が期待できる。
【００４４】
上記各実施形態では、移動型Ｘ線装置に本発明を適用した例について説明したが、撮影室等に固定されて設置されたＸ線装置についても本発明を適用することができる。この場合、例えば、撮影室やそれと壁を隔てて位置する操作室内の操作卓に備えられた発熱部品、例えば画像処理装置、制御装置、またポータブルＸ線検出器の充電装置等を用いて、Ｘ線検出器を温めてもよい。
【符号の説明】
【００４５】
１：移動型Ｘ線装置、４：Ｘ線検出器、１０：本体部、１３：収納部、１６：ファン、１７：風向き調整部、１８：吸気口、１９ａ：第一排気口、１９ｂ：第二排気口、２０：移動部、３０：支柱、４０：Ｘ線源、５０：Ｘ線可動絞り、６０：アーム、７０：アーム支持部、８０：ブレーキ部
【図１】
2014147465.tif 000003
【図２】
2014147465.tif 000004
【図３】
2014147465.tif 000005
【図４】
2014147465.tif 000006
【図５】
2014147465.tif 000007
【図６】
2014147465.tif 000008
【図７】
2014147465.tif 000009